(57)【要約】【課題】  容易に構内交換機の評価試験を行うことができる構内交換機の試験装置を提供する。【解決手段】  構内交換機Ａと通信を行う回線インタフェース部１４と、回線インタフェース部を介して構内交換機から工注情報を取得し、該工注情報に基づいて外部の情報処理装置Ｐと通信を行って実装すべき機器の代わりの発着信をシミュレートすることにより、構内交換機の通話試験を行う試験インタフェース部１５をもつ構内交換機の試験装置。【選択図】図１
2012100167.tif 000002
【特許請求の範囲】
【請求項１】
構内交換機と通信を行う回線インタフェース部と、
前記回線インタフェース部を介して前記構内交換機から工注情報を取得し、該工注情報に基づいて外部の情報処理装置と通信を行って実装すべき機器の代わりの発着信をシミュレートすることにより、前記構内交換機の通話試験を行う試験インタフェース部と、
を具備することを特徴とする構内交換機の試験装置。
【発明の詳細な説明】
【技術分野】
【０００１】
この発明は、構内交換機の試験装置に関し、特に、基板をフル実装しなくても評価試験を行うことができる構内交換機の試験装置に関する。
【背景技術】
【０００２】
従来から、ＰＨＳ構内交換機の試験装置において、評価試験技術および基板実装前の仮想実装機能が知られている。このようなＰＨＳ構内交換機は、一般に、制御部、タイムスイッチ、回線インタフェース部、基地局、携帯機で構成される。
【０００３】
従来のＰＨＳ構内交換機の試験装置においては、構内交換機を試験するために、試験を行うときの工注情報に従って回線インタフェース部を実装し、基地局、携帯機、有線電話機、専用線、ＬＡＮ回線を接続し、試験を行っている。
【０００４】
また、上記相当量の試験システムの構成を準備し、さらに試験を行うために、その携帯機や有線電話機などを操作する人をその前に配置させ発信操作（ダイヤル発信操作）、着信操作（受話器を上げる）、通話などの試験を行っている。
【先行技術文献】
【特許文献】
【０００５】
【特許文献１】特開２００８−１９９６４４号公報
【発明の概要】
【発明が解決しようとする課題】
【０００６】
このように従来のＰＨＳ構内交換機の試験装置においては、評価試験を行う際に、相当な数量の基地局、携帯機、有線電話機、専用線、ＬＡＮ回線などを実際に準備して接続しなければならず、また、それらを操作する人を相当人数配備しなければならないので、そのために大きなコストが必要となっている。
【０００７】
本発明は、容易に構内交換機の評価試験を行うことができる構内交換機の試験装置を提供することを目的とする。
【課題を解決するための手段】
【０００８】
課題を解決するための一実施形態は、
構内交換機（Ａ）と通信を行う回線インタフェース部（１４）と、
前記回線インタフェース部を介して前記構内交換機から工注情報を取得し、該工注情報に基づいて外部の情報処理装置（Ｐ）と通信を行って実装すべき機器の代わりの発着信をシミュレートすることにより、前記構内交換機の通話試験を行う試験インタフェース部（１５）と、
を具備することを特徴とする構内交換機の試験装置である。
【発明の効果】
【０００９】
この実施形態によれば、構内交換機からの工注情報に基づいて外部のパソコンに発着信をシミュレートさせることで、実装すべき基地局等を省略できるため、非常にローコストに構内交換機の通話試験を実現可能とするものである。
【図面の簡単な説明】
【００１０】
【図１】本発明の一実施形態である構内交換機の試験装置の構成の一例を示すブロック図。
【図２】同構内交換機の試験装置であり、実装すべき機器を接続した際のブロック図。
【図３】同構内交換機の試験装置であり、具体的なインタフェースを実装したブロック図。
【図４】同構内交換機の試験装置であり、試験インタフェースを実装した際のブロック図。
【図５】同構内交換機の試験装置に用いられる試験インタフェース部を示すブロック図。
【図６】同構内交換機の試験装置の試験インタフェース部の処理を示すフローチャート。
【図７】同構内交換機の試験装置のコマンド発行処理を示すＧＵＩの説明図。
【図８】同構内交換機の試験装置におけるＧＵＩコマンド受付処理のフローチャート。
【発明を実施するための形態】
【００１１】
次に、本発明の一実施形態に係る構内交換機の試験装置につき、図面を用いて詳細に説明する。図１は、本発明の一実施形態である構内交換機の試験装置の構成の一例を示すブロック図、図２は、同じく構内交換機の試験装置であり、実装すべき機器を接続した際のブロック図、図３は、同じく構内交換機の試験装置であり、具体的なインタフェースを実装したブロック図である。
【００１２】
はじめに、試験システム１は、図１等に示すように、被試験装置である構内交換機Ａとこの構内交換機Ａを試験する試験装置Ｂからなるものである。
【００１３】
構内交換機Ａは、全体の動作を制御する制御部１１と、入力ハイウェイ、出力ハイウェイと接続され、ハイウェイのタイムスロット毎に時分割交換を行うスイッチであるタイムスイッチ１２と、複数のタイムスロットの音声データ（ＰＣＭ符号のデータ）を合成し、１つの出力ハイウェイのタイムスロットに複数のハイウェイタイムスロットの音声を合成して出力し会議通話状態を作る会議トランク１３を有している。
【００１４】
また、試験装置Ｂの方は、回線インタフェース部１４と、回線インタフェース部１４に含まれる試験インタフェース部１５と、運用モードと基盤実装前仮想試験モードの切替を行うためのスイッチ１６と、試験インタフェース部１５に接続されて外部に設けられる汎用パーソナルコンピュータＰを有している。
【００１５】
また、図２に示す試験装置Ｂの方は、上記した構成に加え、実機を交えての試験を行いたい場合に、発着信試験を行うために必要な構成である、複数の基地局１７と、複数の有線電話機１８と、複数の専用線１９と、複数のＬＡＮ回線２０と、複数の携帯機Ｃ１，Ｃ２が、回線インタフェース部１４に接続されている。また、制御信号とハイウェイが接続されており、基地局回線との制御信号は発信、着信、など公知技術（ＰＨＳ標準規格  ＳＴＤ−２８）の呼制御信号を伝える。
【００１６】
ここで、入力ハイウェイ、出力ハイウェイは、すべての会議トランク１３および回線インタフェース部と接続されていて、任意のハイウェイのタイムスロットを任意のハイウェイのタイムスロットに交換（接続）できる。
【００１７】
また、図３において、構内交換機は、通常はさまざまな運用形態にあうようにインタフェース構成を自由に設定することができる。この設定情報を『工注情報』と称する。
【００１８】
図３が示す実施形態では、第１スロットに、ＢＳＩＦ２２、第２スロットに、ＢＳＩＦ２３、第３スロットに、ＢＳＩＦ２４、第４スロットに、ＣＯＴ２５と称するインタフェース部を実装した。ここで、ＢＳＩＦは、１枚で最大４台の基地局を接続することができるインタフェースである。また、ＣＯＴ２５は、１枚で最大４台の有線電話機２６〜２９を接続することができる。
【００１９】
また、本発明の一実施形態である試験装置Ｂは、図４に示すように、回線インタフェース部１４に試験インタフェース部１５を実装し、試験インタフェース部１５と汎用パーソナルコンピュータＰをシリアル通信回線で接続する。構内交換機Ａを動作（試験）させるために、その工注情報に対応した回線インタフェース部１４をすべて実装する必要はなく、また基地局、携帯機、有線電話機なども接続する必要はない。
【００２０】
すなわち、本発明の一実施形態に係る構内交換機の試験装置においては、試験インタフェース部１５および汎用パーソナルコンピュータＰを組み合わせて後述するように機能させることによって、本来、実装すべき機器の代わりの発着信をシミュレートすることができ、構内交換機の通話試験を行うことができる。これにより、全ての基地局、携帯機、有線電話機の操作を疑似的に行わせることができる。
【００２１】
また、図５は、この試験インタフェース部１５の構成を示している。試験インタフェース部１５は、全体の動作およびプログラムを実行するマイコンとその周辺回路である制御部３１と、制御部通信部３２と、制御部通信部３２およびＰＣ通信部３５とやり取りするデータを一時的に蓄えるバッファとして使用されるメモリ３４と、汎用パーソナルコンピュータＰと呼制御信号のシリアル送受信を行う通信用ＩＣとその周辺回路で構成されるＰＣ通信部３５を有している。ここで、通信用ＩＣは、シリアル通信データをメモリ３４と受け渡しするシリアル−パラレル変換機能とＤＭＡ転送機能を有している。
【００２２】
このような構成をもつ試験インタフェース部１５の動作プログラムは、汎用パーソナルコンピュータＰから送信されたデータを受信して、メモリ３４に蓄積し、制御部１１へ送信する。また制御部１１から送信されたデータを受信してメモリ３４に蓄積し、制御部１１へ送信する機能を有する。
【００２３】
このような構成をもつ試験インタフェース部１５は、どこのスロットに実装されても、自分の実装スロット番号を意識することなく、汎用パーソナルコンピュータＰから受信した信号（スロット番号、回線番号が既に付与されている）を制御部１１へ送信し、制御部１１から送信された信号を全て受信して汎用パーソナルコンピュータＰへ送信するといった透過的な受け渡し動作をする。
【００２４】
次に、図６のフローチャートを用いて試験インタフェース部の処理動作を詳細に説明する。試験インタフェース部１５は、回線インタフェース部に実装して使用する。通常の実機を使った構成では、運用、試験の構成に従って回線インタフェース部にＢＳＩＦやＣＯＴを実装するが、本発明による試験構成では、この試験インタフェース部１５を１枚、いずれか１スロットに実装すればよい。すなわち、この試験インタフェース部１５を１枚用いることで、複数枚のＢＳＩＦやＣＯＴ相当と同様の動作を実現することができる。
【００２５】
はじめに、試験インタフェース部１５における制御部３１は、動作プログラムに従って、ＰＣ通信部３５を通信可能状態に初期化し（ステップＳ１１）、次に、制御部通信部３２を通信可能状態に初期化し（ステップＳ１２）、構内交換機Ａから『工注情報』を読み出す（ステップＳ１３）。さらに、制御部３１は、汎用パーソナルコンピュータＰから受信データがあるか監視し（ステップＳ１４）、受信データがあれば汎用パーソナルコンピュータＰからの受信データをメモリ３４から取り出して、制御部通信部３２へ渡して送信起動を行う（ステップＳ１５）。また、制御部３１は、汎用パーソナルコンピュータＰからの受信データがなければなにもしない（ステップＳ１４）。
【００２６】
次に、制御部３１は、構内交換機Ａの制御部１１からの受信データがあるか監視し（ステップＳ１６）、受信データがあれば制御部１１からの受信データをメモリ３４から取り出し、ＰＣ通信部３５へ渡して送信起動する（ステップＳ１７）。制御部３１は、制御部１１からの受信データがなければなにもしない。上記した動作を繰り返す。ここで、信号の中のスロット番号、回線番号に関しては特に判定したり、付与したりすることはない。これにより、汎用パーソナルコンピュータＰの送信データを透過的に制御部３１へ伝え、制御部３１の送信データを透過的に汎用パーソナルコンピュータＰへ伝える。
【００２７】
次に、図７および図８を用いて、コマンド発行・処理ＧＵＩについて説明する。構内交換機Ａの制御部１１は、視覚的にコマンドの発行・処理を行うために、図７に示すような、連続位置登録チャネル編集画面、連続発呼チャネル編集画面、連続ハンドオーバーチャネル編集画面を持ち、それぞれのコマンド発行時に工注データを検索するために必要なデータを持つ。また、スロット毎に工注情報に設定されたスロットインタフェースに合った画面を持ち、ＩＦ画面から単独のコマンド処理を可能とする。
【００２８】
また、図８が示すフローチャートに示すように、汎用パーソナルコンピュータＰ内で動作するコマンド発行・処理ＧＵＩは、コマンドを受け付け後、取得した工注情報に従って、コマンドを実行させるためのシーケンスを開始する（ステップＳ２１）。すなわち、汎用パーソナルコンピュータＰは、電文作成に必要な実機データ、基板構成データを工注情報から取得し、ステータスを確認し（ステップＳ２２）、電文を作成し（ステップＳ２３）、送信する（ステップＳ２４）。そして、画面変更が必要な場合、表示画面の変更を行う（ステップＳ２５）。また、汎用パーソナルコンピュータＰは、シーケンスに従ってステータスを更新し（ステップＳ２６）、終了ステータスの場合、コマンド発行・処理を終了する（ステップＳ２７）。未終了の場合、構内交換機からの受信電文を待つ（ステップＳ２８）。そして、構内交換機Ａからの電文受信後、ステータスに従って送信電文を作成・送信する。
【００２９】
このように、本発明の一実施形態にかかる構内交換機の試験装置によれば、構内交換機からの工注情報に基づいて外部のパソコンに発着信をシミュレートさせることで、実装すべき基地局等を省略できるため、非常にローコストに構内交換機の通話試験を実現可能とするものである。
【００３０】
なお、この発明は上記実施形態に限定されるものではなく、この発明の要旨を逸脱しない範囲で種々変形して実施可能である。要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００３１】
１…試験システム、Ａ…構内交換機、Ｂ…試験装置、１１…制御部、１２…タイムスイッチ、１３…会議トランク、１４…回線インタフェース、１５…試験インタフェース部、１６…スイッチ、Ｐ…汎用パーソナルコンピュータ。
【図１】
2012100167.tif 000003
【図２】
2012100167.tif 000004
【図３】
2012100167.tif 000005
【図４】
2012100167.tif 000006
【図５】
2012100167.tif 000007
【図６】
2012100167.tif 000008
【図７】
2012100167.tif 000009
【図８】
2012100167.tif 000010